(57)【特許請求の範囲】
【請求項１】
（ａ）一面に端子部材を備えるカードの前記端子部材と反対側の面と対向する天板部と、該天板部の前縁から立設し、前記カードの前端と対向する前板部と、前記天板部の後縁から立設し、前記カードの後端と対向する後板部とを有し、前記天板部、前板部及び後板部は金属板から成り、かつ、一体化され、前記端子部材が露出するように前記カードを収容するカード用トレイであって、
（ｂ）前記カードの前端の少なくとも一部が露出するように前記前板部に形成された切欠き部と、
（ｃ）前記後板部に近接して配設され、前記カードを前方に付勢し、前記前板部における切欠き部以外の部分に前記カードの前端を押圧させるカード保持ばね部とを有し、
（ｄ）該カード保持ばね部は、前記後板部に取付けられ、該後板部から前方に延出する取付部と、該取付部から横方向に延出するカンチレバー状の本体部と、該本体部の自由端に接続され、前記カードの後端に当接する当接部と、該当接部に接続され、円弧曲面を備え、前記当接部の下端に接続された誘込み部とを含み、
（ｅ）前記カードを前後から把持し、前記カードの端子部材側の面全体を露出させることを特徴とするカード用トレイ。
【請求項２】
前記前板部における切欠き部以外の部分は、前記天板部の幅方向両端に存在する請求項１に記載のカード用トレイ。
【請求項３】
前記当接部、及び、前記前板部における切欠き部以外の部分には、凹凸部が形成されている請求項２に記載のカード用トレイ。
【請求項４】
前記天板部の側縁から立設し、前記カードの側縁と対向する側板部を更に有し、
前記前板部及び側板部の高さ寸法は、前記カードの厚さ寸法よりも小さい請求項１〜３のいずれか１項に記載のカード用トレイ。
【請求項５】
（ａ）前記カード用トレイを収容するハウジングと、
（ｂ）該ハウジングに取付けられ、前記カードの端子部材と接触する接続端子と、
（ｃ）前記ハウジングに取付けられ、少なくとも前記ハウジング及び該ハウジングに挿入されたカード用トレイの一部を覆うカバー部材とを有し、
（ｄ）請求項１〜４のいずれか１項に記載のカード用トレイが挿入されるカード用コネクタ。
【請求項６】
当接部が前記ハウジングの前端部から後端部に向けて突出するカンチレバー状の接点部材を含むカード検出スイッチを有し、
前記ハウジングに挿入されたカード用トレイの切欠き部から露出するカードの前端が前記当接部に当接して該当接部を前記前端部に向けて変位させると、前記カード検出スイッチは、前記カードがその端子部材が前記接続端子と接触する位置に到達したことを検出する請求項５に記載のカード用コネクタ。
【請求項７】
前記ハウジングの後端部とカバー部材の後端部との間に形成された前記カード用トレイが挿入される挿入口を更に有し、
該挿入口は、一端に形成されたスリット状開口を備え、
前記カード用トレイは、前記天板部の一方の側縁から突出する突出片を有し、
該突出片は、前記カード用トレイが正規の姿勢で前記挿入口に挿入されたときのみ、前記スリット状開口に進入可能である請求項５又は６に記載のカード用コネクタ。
【請求項８】
前記カード用トレイは、前記後板部の両端に形成された板端部を有し、
該板端部の高さ寸法は、前記挿入口の厚さ寸法よりも大きい請求項７に記載のカード用コネクタ。
【発明の詳細な説明】
【技術分野】
【０００１】
本発明は、カード用トレイ及びカード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種メモリカードを利用するために、カード用コネクタを備えている。
【０００３】
近年、電子機器の急速な小型化に伴って、メモリカード及びカード用コネクタは、急速に小型化される傾向にある。そのため、ユーザが手指によってカードを把持したり、カード用コネクタに適切に挿入したりすることが困難である。そこで、カードをあらかじめカード用トレイにセットしておき、該カード用トレイを挿入するカード用コネクタが提案されている（例えば、特許文献１参照。）。
【０００４】
図１４は従来のカード用コネクタの斜視図である。
【０００５】
図において、８１１は、カード用コネクタのハウジングであり、前壁部８１１ａと、底板部８１１ｂと、一対の側板部８１１ｃとを備え、カード用トレイ９６１を収容する。なお、前記前壁部８１１ａ及び側板部８１１ｃは、プラスチック等の絶縁性材料から成るが、前記底板部８１１ｂは金属板から成る。また、前記底板部８１１ｂの中央には、開口部８１１ｄが形成されている。
【０００６】
そして、前記底板部８１１ｂが図示されないプリント回路基板の表面の所定部分にはんだ付によって固定されると、前記プリント回路基板の表面に配設された接続端子が前記開口部８１１ｄから露出する。
【０００７】
また、前記カード用トレイ９６１は、前壁部９６５と、後壁部９６３、底板部９６９と、一対の側板部９６４とを備え、図示されないメモリカードを収容し、前記カード用コネクタのハウジング８１１内に挿入される。また、前記底板部９６９の中央には、開口部９７０が形成されている。
【０００８】
そして、前記カード用トレイ９６１にメモリカードが収容されると、該メモリカードの底面に配設された接続パッドが前記開口部９７０から露出する。したがって、メモリカードを収容したカード用トレイ９６１を前記カード用コネクタのハウジング８１１内に挿入すると、メモリカードの接続パッドが、前記ハウジング８１１の底板部８１１ｂの開口部８１１ｄから露出するプリント回路基板の接続端子と接触して導通する。
【先行技術文献】
【特許文献】
【０００９】
【特許文献１】実用新案登録第３１４５８９７号公報
【発明の概要】
【発明が解決しようとする課題】
【００１０】
しかしながら、前記従来のカード用コネクタにおいては、メモリカードを保持するための機構がカード用トレイ９６１に設けられていない。そのため、ユーザがメモリカードを収容したカード用トレイ９６１を取扱っている際に、メモリカードが脱落してしまう恐れがある。また、底板部９６９がカード用トレイ９６１に設けられているので、カード用トレイ９６１をカード用コネクタに挿入する際に、接続端子の先端等のようにハウジング８１１の底面よりも上方に突出した部材に底板部９６９が接触し、これらの部材に損傷を与える恐れがある。
【００１１】
本発明は、前記従来の問題点を解決して、カード用コネクタ内部の部材に損傷を与えることがなく、カードを確実に保持することができる小型低背のカード用トレイ及びカード用コネクタを提供することを目的とする。
【課題を解決するための手段】
【００１２】
そのために、本発明のカード用トレイにおいては、一面に端子部材を備えるカードの前記端子部材と反対側の面と対向する天板部と、該天板部の前縁から立設し、前記カードの前端と対向する前板部と、前記天板部の後縁から立設し、前記カードの後端と対向する後板部とを有し、前記天板部、前板部及び後板部は金属板から成り、かつ、一体化され、前記端子部材が露出するように前記カードを収容するカード用トレイであって、前記カードの前端の少なくとも一部が露出するように前記前板部に形成された切欠き部と、前記後板部に近接して配設され、前記カードを前方に付勢し、前記前板部における切欠き部以外の部分に前記カードの前端を押圧させるカード保持ばね部とを有し、該カード保持ばね部は、前記後板部に取付けられ、該後板部から前方に延出する取付部と、該取付部から横方向に延出するカンチレバー状の本体部と、該本体部の自由端に接続され、前記カードの後端に当接する当接部と、該当接部に接続され、円弧曲面を備え、前記当接部の下端に接続された誘込み部とを含み、前記カードを前後から把持し、前記カードの端子部材側の面全体を露出させる。
【００１３】
本発明の他のカード用トレイにおいては、さらに、前記前板部における切欠き部以外の部分は、前記天板部の幅方向両端に存在する。
【００１５】
本発明の更に他のカード用トレイにおいては、さらに、前記当接部、及び、前記前板部における切欠き部以外の部分には、凹凸部が形成されている。
【００１６】
本発明の更に他のカード用トレイにおいては、さらに、前記天板部の側縁から立設し、前記カードの側縁と対向する側板部を更に有し、前記前板部及び側板部の高さ寸法は、前記カードの厚さ寸法よりも小さい。
【００１７】
本発明のカード用コネクタにおいては、前記カード用トレイを収容するハウジングと、該ハウジングに取付けられ、前記カードの端子部材と接触する接続端子と、前記ハウジングに取付けられ、少なくとも前記ハウジング及び該ハウジングに挿入されたカード用トレイの一部を覆うカバー部材とを有し、前記カード用トレイが挿入される。
【００１８】
本発明の他のカード用コネクタにおいては、さらに、当接部が前記ハウジングの前端部から後端部に向けて突出するカンチレバー状の接点部材を含むカード検出スイッチを有し、前記ハウジングに挿入されたカード用トレイの切欠き部から露出するカードの前端が前記当接部に当接して該当接部を前記前端部に向けて変位させると、前記カード検出スイッチは、前記カードがその端子部材が前記接続端子と接触する位置に到達したことを検出する。
【００１９】
本発明の更に他のカード用コネクタにおいては、さらに、前記ハウジングの後端部とカバー部材の後端部との間に形成された前記カード用トレイが挿入される挿入口を更に有し、該挿入口は、一端に形成されたスリット状開口を備え、前記カード用トレイは、前記天板部の一方の側縁から突出する突出片を有し、該突出片は、前記カード用トレイが正規の姿勢で前記挿入口に挿入されたときのみ、前記スリット状開口に進入可能である。
【００２０】
本発明の更に他のカード用コネクタにおいては、さらに、前記カード用トレイは、前記後板部の両端に形成された板端部を有し、該板端部の高さ寸法は、前記挿入口の厚さ寸法よりも大きい。
【発明の効果】
【００２１】
本発明によれば、カード用トレイは、カード用コネクタ内部の部材に損傷を与えることがなく、カードを確実に保持することができ、小型低背化することができる。
【図面の簡単な説明】
【００２２】
【図１】本発明の実施の形態におけるカード用トレイのカードを収容した状態を示す斜視図である。
【図２】本発明の実施の形態におけるカード用トレイの四面図であって、（ａ）は後面図、（ｂ）は下面図、（ｃ）は前面図、（ｄ）は側面図である。
【図３】本発明の実施の形態におけるカード用トレイの上面図である。
【図４】本発明の実施の形態におけるカード用トレイの斜視図であって、（ａ）は前方から観た斜視図、（ｂ）は後方から観た斜視図である。
【図５】本発明の実施の形態におけるカード用トレイの要部拡大図であって、（ａ）〜（ｃ）は図４におけるＡ〜Ｃ部拡大図である。
【図６】本発明の実施の形態におけるカード用コネクタの斜視図である。
【図７】本発明の実施の形態におけるカード用コネクタの四面図であって、（ａ）は後面図、（ｂ）は上面図、（ｃ）は前面図、（ｄ）は側面図である。
【図８】本発明の実施の形態におけるカード用コネクタのシェルを取除いた状態を示す平面図である。
【図９】本発明の実施の形態におけるカード用トレイにカードをセットする動作を示す斜視図であって、（ａ）〜（ｃ）は各工程を示す図である。
【図１０】本発明の実施の形態におけるカード用トレイをカード用コネクタに挿入する動作を示す斜視図であって、（ａ）は挿入前を示す図、（ｂ）は挿入後を示す図である。
【図１１】本発明の実施の形態におけるカード用トレイをカード用コネクタに挿入する動作を示すシェルの一部を取除いた状態の第１の平面図である。
【図１２】本発明の実施の形態におけるカード用トレイをカード用コネクタに挿入する動作を示すシェルの一部を取除いた状態の第２の平面図である。
【図１３】本発明の実施の形態におけるカード用トレイをカード用コネクタに誤挿入する動作を示す斜視図である。
【図１４】従来のカード用コネクタの斜視図である。
【発明を実施するための形態】
【００２３】
以下、本発明の実施の形態について図面を参照しながら詳細に説明する。
【００２４】
図１は本発明の実施の形態におけるカード用トレイのカードを収容した状態を示す斜視図、図２は本発明の実施の形態におけるカード用トレイの四面図、図３は本発明の実施の形態におけるカード用トレイの上面図、図４は本発明の実施の形態におけるカード用トレイの斜視図、図５は本発明の実施の形態におけるカード用トレイの要部拡大図である。なお、図２において、（ａ）は後面図、（ｂ）は下面図、（ｃ）は前面図、（ｄ）は側面図であり、図４において、（ａ）は前方から観た斜視図、（ｂ）は後方から観た斜視図であり、図５において、（ａ）〜（ｃ）は図４におけるＡ〜Ｃ部拡大図である。
【００２５】
図において、１６１は本実施の形態におけるカード用トレイであり、図１に示されるように、カード１０１を収容した状態で、図示されない電子機器に取付けらた後述されるカード用コネクタ１に挿入される。つまり、カード１０１は、カード用トレイ１６１に収容され、カード用コネクタ１を介して、電子機器に装着される。なお、該電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２６】
また、前記カード１０１は、例えば、ＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、マイクロＳＩＭ（ｍｉｃｒｏＳＩＭ）カードであるものとして説明する。
【００２７】
本実施の形態において、前記カード１０１は、図１に示されるように、全体的に略矩（く）形の板状の形状を有し、その下面１１１ａに、端子部材である電極パッドとしてのコンタクトパッド１５１が、複数、前端１１１ｆ及び後端１１１ｒに沿って並ぶように配設されている。図に示される例では、３つずつ、２列に並ぶように配設されている。すなわち、コンタクトパッド１５１は、カード１０１の幅方向に延在する２本の列を成すように配列されている。なお、下面１１１ａの反対側の面、すなわち、上面には、コンタクトパッド１５１が配設されていない。さらに、後端１１１ｒの左右両端と側縁１１２とを結合する角部の一方、具体的には、下面１１１ａにおける後方右角部には、斜めに切欠かれた傾斜部としての切欠き部１１１ｃが形成されている。
【００２８】
なお、本実施の形態において、カード用トレイ１６１、カード用コネクタ１及びカード１０１の各部の構成及び動作を説明するために使用される上、下、左、右、前、後等の方向を示す表現は、絶対的なものでなく相対的なものであり、カード用トレイ１６１、カード用コネクタ１、カード１０１又はそれらの部品が図に示される姿勢である場合に適切であるが、カード用トレイ１６１、カード用コネクタ１、カード１０１又はそれらの部品の姿勢が変化した場合には、姿勢の変化に応じて変更して解釈されるべきものである。
【００２９】
ここで、前記カード用トレイ１６１は、金属から成る板材に打抜き、折曲げ等の加工を施して一体的に形成された部材であって、概略矩形状の天板部１６２と、該天板部１６２の側縁に沿って前後方向に延在し、天板部１６２の側縁から下向きに立設する一対の側板部１６４と、前記天板部１６２の前縁に沿って幅方向に延在し、天板部１６２の前縁から下向きに立設する前板部１６５と、前記天板部１６２の後縁に沿って幅方向に延在し、天板部１６２の後縁から下向きに立設する後板部１６３とを有する。そして、図１に示されるように、カード１０１をその内部に収容した状態で、天板部１６２はカード１０１の図示されない上面（コンタクトパッド１５１の反対側面）と対向してカード１０１の厚さ方向の位置を規制し、側板部１６４はカード１０１の側縁１１２と対向してカード１０１の幅方向（短手方向）の位置を規制し、前板部１６５及び後板部１６３はカード１０１の前端１１１ｆ及び後端１１１ｒと対向してカード１０１の前後方向（長手方向）の位置を規制する。しかし、前記カード用トレイ１６１は、底板部を備えていない。すなわち、天板部１６２に対向する部材を備えておらず、収容されたカード１０１の下面１１１ａ側は、開放されている。
【００３０】
なお、本実施の形態においては、カード用コネクタ１に挿入する際の進行方向前方（図３における下方）の端部を前端１６１Ｆと称し、進行方向後方（図３における上方）の端部を後端１６１Ｒと称する。
【００３１】
そして、カード用トレイ１６１の前端１６１Ｆに位置する前板部１６５には、所定幅の切欠き部１６５ａが形成され、該切欠き部１６５ａにおいて、カード１０１の前端１１１ｆの少なくとも一部が前記前端１６１Ｆから露出するようになっている。なお、図に示される例では、前板部１６５の幅方向中心を含む半分以上の部分が切欠き部１６５ａとなり、前板部１６５における切欠き部１６５ａ以外の部分は、天板部１６２の幅方向両端、すなわち、左右両側の側板部１６４に近接した箇所にのみ残存しているが、前記切欠き部１６５ａの位置及び大きさは任意に変更することができる。しかし、カード用コネクタ１が備える後述される端子５１が配設されている範囲に対応する部分には、前板部１６５が残存しないように切欠き部１６５ａを形成することが望ましい。これにより、カード用コネクタ１に挿入する際に、前板部１６５が端子５１と干渉して該端子５１に損傷を与えることを確実に防止することができる。さらに、前記切欠き部１６５ａは、図２（ｂ）に示されるように、天板部１６２の前縁近傍部分も含んでいること、つまり、天板部１６２の前縁近傍部分も切欠かれていること、が望ましい。
【００３２】
また、カード用トレイ１６１の後端１６１Ｒに位置する後板部１６３に近接した位置には、カード保持ばね部としての弾性腕部１６６が配設されている。該弾性腕部１６６は、後板部１６３と一体的に形成された部材であって、後板部１６３に取付けられた取付部１６６ａ、基端が該取付部１６６ａに接続され、横方向に向けて延出するカンチレバー状の本体部１６６ｂ、該本体部１６６ｂの自由端に接続された当接部１６６ｃ、及び、該当接部１６６ｃの下端に接続された誘込み部１６６ｄを有する。そして、前記本体部１６６ｂの発揮するばね力によって前記当接部１６６ｃがカード用トレイ１６１内に収容されたカード１０１の後端１１１ｒを前方に付勢することにより、前記カード１０１の前端１１１ｆが前板部１６５の内側面である当接部１６５ｃに押圧されるので、前記カード１０１は、前後から、前記弾性腕部１６６の当接部１６６ｃと前板部１６５の当接部１６５ｃとによって挟持された状態となる。つまり、弾性腕部１６６の発揮するばね力によって、前記カード１０１は、前後から弾性的に把持される。したがって、カード用トレイ１６１の下方が開放されていても、カード用トレイ１６１内に収容されたカード１０１は、カード用トレイ１６１から脱落することがない。
【００３３】
なお、図５に示されるように、弾性腕部１６６の当接部１６６ｃには、凹凸部としての凹溝１６６ｅが形成され、前板部１６５の当接部１６５ｃには、凹凸部としての凹溝１６５ｅが形成されている。したがって、弾性腕部１６６の当接部１６６ｃとカード１０１の後端１１１ｒとの摩擦、及び、前板部１６５の当接部１６５ｃとカード１０１の前端１１１ｆとの摩擦が大きく、カード用トレイ１６１内に収容されたカード１０１が下方に変位してカード用トレイ１６１から脱落することが確実に防止される。特に、カード１０１の表面精度が低く、後端１１１ｒ及び前端１１１ｆの面に凹凸が存在する場合には、効果的である。なお、前記凹溝１６５ｅ及び１６６ｅに代えて、例えば、梨地加工等の加工を施して粗面化することによって、当接部１６５ｃ及び１６６ｃに凹凸部を形成してもよい。
【００３４】
また、前記誘込み部１６６ｄは、カード１０１をカード用トレイ１６１内に収容する際に、カード１０１の後端１１１ｒをガイドして当接部１６６ｃに導くための部材であって、カード１０１の後端１１１ｒがスムーズにスライドすることができるように、平滑な円弧曲面を備える。すなわち、前記誘込み部１６６ｄにはアールが付けられている。
【００３５】
前記天板部１６２における後縁の左右両端と側縁とを結合する角部の一方、具体的には、後方右角部には、下向きに立設する位置決め爪部１６７が形成されている。該位置決め爪部１６７は、カード姿勢規制部として機能する部材であって、図１に示されるように、カード１０１が正規の姿勢である場合には、カード用トレイ１６１内へのカード１０１の収容を許容するが、カード１０１が非正規の姿勢である場合には、カード用トレイ１６１内へのカード１０１の収容を許容しない、すなわち、カード用トレイ１６１内へカード１０１を収容することができないようにする部材である。具体的には、前記位置決め爪部１６７は、正規の姿勢でカード用トレイ１６１内に収容されたカード１０１の切欠部１１１ｃに近接して対向するように形成される。したがって、非正規の姿勢、例えば、前後逆様、表裏逆様等の姿勢のカード１０１をカード用トレイ１６１内へ入れようとすると、カード１０１の下面１１１ａ又は上面が位置決め爪部１６７に当接するので、前記カード１０１をカード用トレイ１６１内へ入れて収容することができない。
【００３６】
このように、本実施の形態におけるカード用トレイ１６１は、カード１０１のコンタクトパッド１５１が配設されている面である下面１１１ａを天板部１６２と反対を向くような姿勢で収容して保持するので、天板部１６２に「背景技術」の項で説明したカード用トレイ９６１が備える開口部９７０のような大きな開口を形成する必要がない。したがって、天板部１６２の強度、剛性等が低下せず、その結果、カード用トレイ１６１全体の強度、剛性等を高く保つことができる。
【００３７】
前記側板部１６４及び前板部１６５の高さ寸法、すなわち、上下方向（図２（ｄ）における左右方向）の寸法は、カード１０１の厚さ寸法よりも小さい。これにより、カード用コネクタ１に挿入する際に、側板部１６４及び前板部１６５の下端がカード１０１の下面１１１ａよりも上方に位置することとなるので、カード用コネクタ１が備える後述されるハウジング１１の底壁部１１ｂに、側板部１６４及び前板部１６５の下端が当接することがない。したがって、前記ハウジング１１の底壁部１１ｂに配設された端子５１等の部材を損傷してしまうことがない。
【００３８】
一方、後板部１６３の高さ寸法は、カード１０１の厚さ寸法よりも大きく、望ましくは、カード用コネクタ１が備える後述される挿入口１８の厚さ寸法よりも大きく設定される。また、前記後板部１６３の左右両側の板端部１６３ａは、誤挿入防止部として機能する部分である。したがって、少なくとも板端部１６３ａの高さ寸法は、前記挿入口１８の厚さ寸法よりも大きく設定される。これにより、カード用トレイ１６１が前後逆様の非正規の姿勢で前記挿入口１８からカード用コネクタ１に挿入されてしまうことを、確実に防止することができる。
【００３９】
また、前記カード用トレイ１６１は、誤挿入防止部として機能する突出片１７３を備える。該突出片１７３は、天板部１６２の一方の側縁（例えば、図３における右側縁）における前端１６１Ｆに近接する部位から外方に向けて突出する部材であり、天板部１６２と面一となるように形成されている。なお、カード用コネクタ１の挿入口１８の一端には、カード用トレイ１６１が正規の姿勢である場合に前記突出片１７３の進入を許可する、後述される進入許可スリット１８ａが形成されている。これにより、カード用トレイ１６１が表裏逆様の非正規の姿勢で前記挿入口１８からカード用コネクタ１に挿入されてしまうことを、確実に防止することができる。
【００４０】
前記カード用トレイ１６１は、天板部１６２の一方の側縁（例えば、図３における左側縁）に、側板部１６４から独立して形成された係合部１７２を備える。該係合部１７２は、カード用コネクタ１に挿入する際に、後述されるトレイ案内機構のスライド部材２１と係合するための部材であり、係合凸部１７２ａを含んでいる。具体的には、前記係合部１７２は、天板部１６２の側縁に沿って前後方向に延在し、天板部１６２から下向きに立設する部材であって、前記側板部１６４とほぼ面一であるが、分離スリット１７２ｃによって、側板部１６４から切離されている。また、天板部１６２と係合部１７２との境界部分には、スリット状の分離開口１７２ｂが形成されている。これにより、係合部１７２は、弾性的に変形可能となり、前記スライド部材２１との係合及び係合解除をスムーズに行うことができる。
【００４１】
次に、本実施の形態において、前記カード用トレイ１６１を使用するカード用コネクタ１について説明する。
【００４２】
図６は本発明の実施の形態におけるカード用コネクタの斜視図、図７は本発明の実施の形態におけるカード用コネクタの四面図、図８は本発明の実施の形態におけるカード用コネクタのシェルを取除いた状態を示す平面図である。なお、図７において、（ａ）は後面図、（ｂ）は上面図、（ｃ）は前面図、（ｄ）は側面図である。
【００４３】
本実施の形態において、カード用コネクタ１は、合成樹脂等の絶縁性材料によって一体的に成形されたハウジング１１と、金属から成る板材に打抜き、折曲げ等の加工を施すことによって一体的に成形され、ハウジング１１の上側に取付けられたカバー部材としてのシェル６１とを有する。該シェル６１は、ハウジング１１及び該ハウジング１１に挿入されたカード用トレイ１６１の少なくとも一部の上方を覆うようになっている。そして、前記カード用コネクタ１は、概略、扁（へん）平な直方体形状を備え、前記電子機器に取付けられ、後方（図７（ｂ）における上方）の挿入口１８から、ハウジング１１にカード用トレイ１６１が挿入される。具体的には、ハウジング１１とシェル６１との間に形成される空間内にカード用トレイ１６１が挿入される。
【００４４】
なお、本実施の形態においては、カード用コネクタ１に挿入するカード用トレイ１６１の進行方向前方（図７（ｂ）における下方）の端部を前端１Ｆと称し、進行方向後方（図７（ｂ）における上方）の端部を後端１Ｒと称する。
【００４５】
図８に示されるように、ハウジング１１は、略矩形の平板状部材である底壁部１１ｂ、及び、ハウジング１１におけるカード用トレイ１６１の挿入方向前方の端部、すなわち、前端部１１ｆに沿って延在し、底壁部１１ｂから立設する奥壁部１１ａを有する。なお、ハウジング１１におけるカード用トレイ１６１の挿入方向後方の端部は、後端部１１ｒと称する。
【００４６】
ここで、底壁部１１ｂは、接続端子としての端子５１を保持する端子保持凹部１１ｃを備える。該端子保持凹部１１ｃは、底壁部１１ｂを板厚方向に貫通する開口であり、ハウジング１１の幅方向に延在する列を成すように、並んで配設されている。図に示される例では、３つずつ、２列に並ぶように配設されている。すなわち、端子保持凹部１１ｃ、及び、各端子保持凹部１１ｃ内に１つずつ保持される端子５１は、ハウジング１１の幅方向に延在する２本の列を成すように配列されている。
【００４７】
端子５１は、その基部５１ａの少なくとも一部が底壁部１１ｂに埋込まれ、また、その他の部分が端子保持凹部１１ｃ内に露出している。具体的には、端子５１は、いわゆるオーバーモールド成形によって、すなわち、ハウジング１１は、端子５１をあらかじめ内部にセットした金型のキャビティ内に絶縁性材料を充填（てん）することによって成形され、基部５１ａの少なくとも一部が、底壁部１１ｂを構成する絶縁性材料によって覆われることにより、底壁部１１ｂに埋込まれて保持されている。
【００４８】
そして、端子５１は、基部５１ａに基端が連結されたカンチレバー状の接触腕部５１ｂと、該接触腕部５１ｂの自由端、すなわち、先端に接続された接触部５１ｃとを備える。前記接触腕部５１ｂは、その基端が後端部１１ｒ側に位置し、その先端が前端部１１ｆに向けて斜め上方に延在し、少なくとも接触部５１ｃの上面は、カード挿入空間内にカード用トレイ１６１に収容されたカード１０１が挿入されていない状態では、底壁部１１ｂの上面より上方に位置している。なお、接触部５１ｃは、上方に向けて突出するように湾曲された側面形状を備え、その先端は斜め下方を向いている。図８に示されるように、接触腕部５１ｂ及び接触部５１ｃは、上方から観て、端子保持凹部１１ｃ内に位置する。
【００４９】
前記端子５１は、接触部５１ｃが、カード用コネクタ１内に保持されたカード用トレイ１６１内のカード１０１のコンタクトパッド１５１の各々に接触するように、配設されている。したがって、端子５１の数及び配置の形態は、カード１０１のコンタクトパッド１５１の数及び配置の形態に適合するように、適宜変更される。
【００５０】
また、端子５１の基部５１ａには、図示されない細長い帯状の連結部の一端が連結されている。前記連結部は、ハウジング１１の前後方向に延在し、底壁部１１ｂに埋込まれている。そして、前記連結部の他端からはソルダーテール部５１ｄが前方に向けて延出し、前端部１１ｆから前方に突出するように露出している。そして、ソルダーテール部５１ｄは、前記電子機器における配線基板等に形成された信号線、コンタクトパッド、端子等、すなわち、相手側端子部材に、はんだ付等によって電気的に接続される。
【００５１】
そして、ハウジング１１は、側縁に沿って前後方向に延在する一対の側壁部１１ｄを有し、一方の側壁部１１ｄの内側には、トレイ案内機構収容部１１ｇが形成されている。該トレイ案内機構収容部１１ｇには、カード用コネクタ１内に挿入されたカード用トレイ１６１を案内するためのトレイ案内機構のスライド部材２１が前後方向にスライド可能に取付けられている。これにより、前記スライド部材２１は、一方の側壁部１１ｄに沿って前後方向にスライドすることができる。
【００５２】
また、スライド部材２１の上面にはハート状カムとしてのカム溝２２が形成され、該カム溝２２には固定カム部材としての細長いピン部材８１の自由端が係合している。また、該ピン部材８１の他端は、固定端として、ハウジング１１の後端部１１ｒの上面に掛止され、ピボット結合されている。そして、前記ピン部材８１とカム溝２２とが協働することによって、カード用トレイ１６１とともに移動するスライド部材２１にプッシュ／プッシュの動作を行わせるようになっている。
【００５３】
さらに、前記トレイ案内機構収容部１１ｇ内には、圧縮された状態で付勢力を発揮するコイルスプリングとしての付勢部材８２が収容され、スライド部材２１を後端部１１ｒに向けて、すなわち、カード用トレイ１６１の挿入方向と反対の排出方向に付勢する。
【００５４】
前記スライド部材２１は、カード用トレイ１６１と係合して保持するためのトレイ保持部としての係合凹部２１ａ及び係合鉤（かぎ）部２１ｂを備える。前記係合凹部２１ａは、カード用トレイ１６１の係合部１７２に形成された係合凸部１７２ａと係合し、前記係合鉤部２１ｂはカード用トレイ１６１の前板部１６５と側板部１６４とを結合する角部と係合する。そして、スライド部材２１は、係合凹部２１ａ及び係合鉤部２１ｂによってカード用トレイ１６１を保持し、該カード用トレイ１６１とともに前後方向に移動する。
【００５５】
このようなトレイ案内機構を備えるカード用コネクタ１は、該カード用コネクタ１内にカード用トレイ１６１を挿入する際にも、カード用コネクタ１内からカード用トレイ１６１を取出す際にも、カード用トレイ１６１を押込む動作を必要とする、いわゆる、プッシュインプッシュアウトタイプ、又は、プッシュ／プッシュタイプと通称されるものである。このような動作は、押ボタンスイッチの分野におけるオルタネイト動作（位置保持型、プッシュオン・プッシュオフ型等）と同様のものである。前記ピン部材８１とカム溝２２とが協働することによって、カード用トレイ１６１とともに移動するスライド部材２１にプッシュ／プッシュの動作を行わせるようになっている。これにより、前記トレイ案内機構は、カード用トレイ１６１を挿入方向に押込むプッシュ動作によってカード用トレイ１６１が挿入方向に移動して終端点まで到達すると、前記付勢部材８２の付勢力によって、前記カード用トレイ１６１を終端点から挿入方向と反対の方向に移動させて排出することができる。また、ロック位置においては、スライド部材２１が停止し、これにより、カード用トレイ１６１がカード用コネクタ１の内部に保持される。
【００５６】
前記ピン部材８１は、シェル６１のピン押え部材６５によって上から下方向に付勢されることにより保持されている。前記ピン押え部材６５は、シェル６１の一部をハウジング１１の底壁部１１ｂの方向に押圧可能に折曲げ加工することによって形成されたばね性を備える板状の部材であり、ピン部材８１は、前記ピン押え部材６５とスライド部材２１又はハウジング１１との間に位置し、スライド部材２１又はハウジング１１から離脱しないように保持されている。
【００５７】
また、前記シェル６１は、概略矩形の天板部６２と、該天板部６２の側縁から立設する側板部６４とを有する。該側板部６４には、複数の掛止開口６３が形成され、シェル６１をハウジング１１の上側に取付けると、該ハウジング１１の側壁部１１ｄの外側面に形成された掛止突起１３に前記掛止開口６３が掛止され、これにより、シェル６１がハウジング１１に固定される。なお、天板部６２におけるカード用トレイ１６１の挿入方向前方及び後方の端部は、シェル前端部６２ｆ及びシェル後端部６２ｒと称する。
【００５８】
前記ハウジング１１の前端部１１ｆの近傍には、カード１０１のコンタクトパッド１５１１と端子５１とが接触していることを検出して、カード１０１がカード用コネクタ１に装填されていることを検出するカード検出スイッチが配設されている。該カード検出スイッチは、前端部１１ｆ及びその近傍に取付けられたカンチレバー状の第１接点部材５７と、大部分が底壁部１１ｂに埋込まれた第２接点部材５８とによって形成される。
【００５９】
前記第１接点部材５７は、前端部１１ｆに取付けられた取付部５７ａ、基端が前記取付部５７ａに接続され、横方向に向けて延出するカンチレバー状の本体部５７ｂ、及び、該本体部５７ｂの自由端に接続された当接部５７ｃを有する。そして、前記取付部５７ａは奥壁部１１ａの側面とほぼ平行となり、本体部５７ｂは、カード１０１がカード用コネクタ１に挿入されていない状態においては、奥壁部１１ａの側面に対して傾斜し、当接部５７ｃは、後端部１１ｒに向けて、すなわち、後方に向けて突出するように配設されている。そのため、カード１０１が挿入されると、該カード１０１の前端１１１ｆが当接部５７ｃに当接する。
【００６０】
一方、前記第２接点部材５８は、底壁部１１ｂに埋込まれた平板状の取付部５８ａと、基端が前記取付部５８ａに接続され、先端が底壁部１１ｂから露出する接触部５８ｂとを有する。
【００６１】
そして、カード１０１が挿入されていない状態においては、図８に示されるように、第１接点部材５７の本体部５７ｂが第２接点部材５８の接触部５８ｂと接触しているので、第１接点部材５７と第２接点部材５８とは接触しており、カード検出スイッチは導通状態、すなわち、オン（ＯＮ）になっている。
【００６２】
しかし、カード１０１が挿入され、そのコンタクトパッド１５１と端子５１とが接触する位置に到達すると、カード１０１の前端１１１ｆによって第１接点部材５７の当接部５７ｃが前端部１１ｆの方向に向けて押されて変位し、第１接点部材５７の本体部５７ｂが第２接点部材５８の接触部５８ｂから離間する。これにより、第１接点部材５７と第２接点部材５８とが非接触となり、カード検出スイッチは非導通状態、すなわち、オフ（ＯＦＦ）になるので、カード１０１がコンタクトパッド１５１と端子５１とが接触する位置に到達したことが検出される。
【００６３】
なお、本実施の形態において、カード１０１はカード用トレイ１６１に収容された状態でカード用コネクタ１の内部に挿入されるところ、カード用トレイ１６１の前板部１６５に切欠き部１６５ａが形成され、カード１０１の前端１１１ｆの少なくとも一部がカード用トレイ１６１の前端１６１Ｆから露出するようになっている。そして、前記切欠き部１６５ａは、少なくとも第１接点部材５７の当接部５７ｃに対応する部分を含むように形成されている。これにより、カード１０１がカード用トレイ１６１に収容された状態で挿入されても、前記当接部５７ｃには、カード１０１の前端１１１ｆが直接当接し、カード用トレイ１６１の前板部１６５は当接することがない。したがって、カード検出スイッチは、カード１０１が所定の位置、すなわち、コンタクトパッド１５１と端子５１とが接触する位置に到達したことを正確に検出することができる。
【００６４】
また、カード１０１を収容していないカード用トレイ１６１が挿入された場合には、カード用トレイ１６１の前板部１６５における第１接点部材５７の当接部５７ｃに対応する部分には切欠き部１６５ａが形成され、前板部１６５が存在しないのであるから、前記当接部５７ｃは、カード用トレイ１６１のどの部分にも当接しない。したがって、カード検出スイッチは、カード１０１が所定の位置に到達した、と検出することがない。つまり、カード１０１を収容していないカード用トレイ１６１が挿入された場合には、カード１０１が挿入された、と誤検出されてしまうことがない。
【００６５】
このように、カード１０１を収容していないカード用トレイ１６１が挿入された場合には、カード検出スイッチによってカード１０１の存在が検出されてしまうことがないので、例えば、カード用トレイ１６１及びカード用コネクタ１を使用しないときには、空のカード用トレイ１６１をカード用コネクタ１に挿入した状態で保管しておくことができる。したがって、使用していない空のカード用トレイ１６１を紛失することがない。
【００６６】
図６及び７（ａ）に示されるように、挿入口１８の一端には、誤挿入防止部としての進入許可スリット１８ａが形成されている。該進入許可スリット１８ａは、具体的には、ハウジング１１におけるトレイ案内機構収容部１１ｇが形成された側と反対側の後端部１１ｒの上面とシェル後端部６２ｒとの間に形成されたカード用コネクタ１の幅方向に延在するスリット状の隙（すき）間であって、カード用トレイ１６１が正規の姿勢で挿入口１８から挿入される場合には、カード用トレイ１６１の突出片１７３が進入することができる位置に形成されたスリット状開口である。つまり、カード用トレイ１６１が正規の姿勢である場合に、前記突出片１７３の進入を許可するようになっている。
【００６７】
したがって、カード用トレイ１６１が表裏逆様の非正規の姿勢である場合には、前記突出片１７３が進入許可スリット１８ａが形成されている側と反対側の後端部１１ｒに当接するので、カード用トレイ１６１を挿入口１８から挿入することができない。
【００６８】
また、カード用トレイ１６１が前後逆様の非正規の姿勢である場合には、後板部１６３の左右両側の板端部１６３ａの高さ寸法が挿入口１８の厚さ寸法よりも大きく設定されているので、カード用トレイ１６１を挿入口１８から挿入することができない。この場合、シェル後端部６２ｒ及びハウジング１１の後端部１１ｒ全体がカード用コネクタ１における誤挿入防止部として機能する。
【００６９】
次に、前記構成のカード用トレイ１６１及びカード用コネクタ１の動作について説明する。まず、カード用トレイ１６１にカード１０１をセットする動作について説明する。
【００７０】
図９は本発明の実施の形態におけるカード用トレイにカードをセットする動作を示す斜視図である。なお、図において、（ａ）〜（ｃ）は各工程を示す図である。
【００７１】
まず、カード用トレイ１６１及びカード用コネクタ１のユーザは、手指等によって把持してカード１０１の姿勢を制御し、その上面がカード用トレイ１６１の天板部１６２に向合うように、すなわち、コンタクトパッド１５１が配設されている下面１１１ａがカード用トレイ１６１の天板部１６２と反対側になるようにし、かつ、その前端１１１ｆ及び後端１１１ｒがカード用トレイ１６１の前板部１６５及び後板部１６３と向合うようにする。これにより、カード１０１は、その切欠き部１１１ｃもカード用トレイ１６１の位置決め爪部１６７に向合うような正規の姿勢となる。
【００７２】
そして、ユーザは、カード１０１をその後端１１１ｒからカード用トレイ１６１内に挿入する。すなわち、カード１０１をカード用トレイ１６１の天板部１６２に対して傾斜させて、その後端１１１ｒをカード用トレイ１６１内に挿入して、天板部１６２に当接させるとともに、図９（ａ）に示されるように、弾性腕部１６６の当接部１６６ｃに当接させる。続いて、ユーザが後方に向けた、すなわち、カード用トレイ１６１の後端１６１Ｒに向けた押圧力をカード１０１に付与すると、弾性腕部１６６が弾性的に変形し、図９（ｂ）に示されるように、弾性腕部１６６の当接部１６６ｃが弾性的に変位して後板部１６３に接近する。それに伴い、カード１０１全体もカード用トレイ１６１のカード用トレイ１６１の後端１６１Ｒに向けて変位し、その前端１１１ｆがカード用トレイ１６１の前板部１６５よりも後方に位置する。
【００７３】
続いて、ユーザは、カード１０１の前端１１１ｆもカード用トレイ１６１内に挿入して天板部１６２に当接させるとともに、カード用トレイ１６１の後端１６１Ｒに向けた押圧力を解除する。すると、弾性腕部１６６が発揮するばね力によって、当接部１６６ｃが弾性的に変位して後板部１６３から離間する。それに伴い、カード１０１全体がカード用トレイ１６１のカード用トレイ１６１の前端１６１Ｆに向けて変位し、図９（ｃ）に示されるように、その前端１１１ｆがカード用トレイ１６１の前板部１６５に当接する。
【００７４】
これにより、カード用トレイ１６１へのカード１０１のセットが完了し、該カード１０１は、図１に示されるように、カード用トレイ１６１内に収容された状態となる。この状態では、前述のように、カード１０１は、前後から、弾性腕部１６６の当接部１６６ｃと前板部１６５の当接部１６５ｃとによって挟持された状態となっているので、カード用トレイ１６１から脱落することがない。
【００７５】
なお、ユーザは、図９（ａ）〜（ｃ）に示されるように、その後端１１１ｒからカード１０１をカード用トレイ１６１内に挿入するのではなく、その前端１１１ｆからカード１０１をカード用トレイ１６１内に挿入することもできる。
【００７６】
具体的には、ユーザは、まず、カード１０１をカード用トレイ１６１の天板部１６２に対して傾斜させて、その前端１１１ｆをカード用トレイ１６１内に挿入して、天板部１６２に当接させるとともに前板部１６５に当接させる。
【００７７】
続いて、ユーザは、カード１０１の後端１１１ｒもカード用トレイ１６１内に挿入する。つまり、後端１１１ｒを天板部１６２に向けて変位させる。すると、後端１１１ｒは、弾性腕部１６６の誘込み部１６６ｄに当接する。そして、ユーザが、天板部１６２に向けた押圧力をカード１０１の後端１１１ｒに付与すると、該後端１１１ｒは、誘込み部１６６ｄに沿って天板部１６２に向けて変位するとともに、誘込み部１６６ｄ及び該誘込み部１６６ｄが接続されている当接部１６６ｃを、弾性腕部１６６のばね力に抗して、後板部１６３に接近するように変位させる。この際、誘込み部１６６ｄの表面は、平滑な円弧曲面なので、カード１０１の後端１１１ｒは、誘込み部１６６ｄの表面に沿ってスムーズに天板部１６２に向けて変位することができる。
【００７８】
最後に、カード１０１の後端１１１ｒが天板部１６２に当接すると、図９（ｃ）に示される状態と同様の状態となって、カード用トレイ１６１へのカード１０１のセットが完了する。
【００７９】
一方、カード用トレイ１６１からカード１０１を取出す場合、まず、ユーザは、図９（ｃ）に示される状態のカード１０１の前端１１１ｆに、手指等を掛けて、カード用トレイ１６１の天板部１６２から離間する方向の力を前記前端１１１ｆに付与する。なお、カード用トレイ１６１の後端１６１Ｒに向けた押圧力も併せて付与することが望ましい。この場合、カード用トレイ１６１の前板部１６５には切欠き部１６５ａが形成されているので、ユーザは、カード１０１の前端１１１ｆに容易に手指等を掛けて力を付与することができる。
【００８０】
これにより、カード１０１の前端１１１ｆがカード用トレイ１６１の天板部１６２から離間して、図９（ａ）に示されるような状態となる。したがって、ユーザは、容易にカード用トレイ１６１からカード１０１を取出すことができる。
【００８１】
このように、本実施の形態においては、カード用トレイ１６１にカード１０１をセットする際に、その後端１１１ｒからカード１０１をカード用トレイ１６１内に挿入するだけでなく、その前端１１１ｆからカード１０１をカード用トレイ１６１内に挿入することもできる。また、容易にカード用トレイ１６１からカード１０１を取出すことができる。したがって、ユーザの利便性が向上する。
【００８２】
次に、カード１０１を収容するカード用トレイ１６１をカード用コネクタ１に挿入する動作について説明する。
【００８３】
図１０は本発明の実施の形態におけるカード用トレイをカード用コネクタに挿入する動作を示す斜視図、図１１は本発明の実施の形態におけるカード用トレイをカード用コネクタに挿入する動作を示すシェルの一部を取除いた状態の第１の平面図、図１２は本発明の実施の形態におけるカード用トレイをカード用コネクタに挿入する動作を示すシェルの一部を取除いた状態の第２の平面図、図１３は本発明の実施の形態におけるカード用トレイをカード用コネクタに誤挿入する動作を示す斜視図である。なお、図１０において、（ａ）は挿入前を示す図、（ｂ）は挿入後を示す図である。
【００８４】
まず、ユーザは、手指等によって、図１０（ａ）に示されるように、カード１０１が収容されたカード用トレイ１６１をカード用コネクタ１の後方の挿入口１８からハウジング１１とシェル６１との間に形成されるカード挿入空間内に挿入する。
【００８５】
なお、カード用トレイ１６１は、天板部１６２が上を向き、すなわち、シェル６１の天板部６２と向合い、前端１６１Ｆがカード用コネクタ１の前端１Ｆの方を向くような姿勢、すなわち、正規姿勢で挿入される。また、カード用トレイ１６１の突出片１７３は、カード用コネクタ１の挿入口１８の一端に形成された進入許可スリット１８ａに向合っている。この場合、カード用トレイ１６１内に収容されたカード１０１は、コンタクトパッド１５１が配設されている下面１１１ａが開放された状態で下を向き、端子５１が配設されているハウジング１１の底壁部１１ｂと向合い、前端１１１ｆがカード用コネクタ１の前端１Ｆの方を向くような姿勢となっている。
【００８６】
そして、カード用トレイ１６１が挿入口１８からハウジング１１とシェル６１との間に形成されるカード挿入空間内に挿入されると、突出片１７３が進入許可スリット１８ａ内に進入し、係合部１７２の形成されていない方の側板部１６４が、ハウジング１１におけるトレイ案内機構収容部１１ｇが形成されていない方の側壁部１１ｄに沿って、カード挿入空間内を進行する。
【００８７】
続いて、ユーザがカード用トレイ１６１をプッシュして更に押込むと、図１１に示されるように、スライド部材２１の係合凹部２１ａ及び係合鉤部２１ｂが、カード用トレイ１６１の係合部１７２に形成された係合凸部１７２ａ及びカード用トレイ１６１の前板部１６５と側板部１６４とを結合する角部と係合することによって、カード用トレイ１６１を保持するので、カード１０１を収容するカード用トレイ１６１は、スライド部材２１とともに、カード用コネクタ１の前端１Ｆに向けて移動する。
【００８８】
この際、ユーザの手指等が発揮する押圧力は、カード用トレイ１６１からスライド部材２１に伝達される。そして、該スライド部材２１がコイルスプリングから成る付勢部材８２を圧縮するので、スライド部材２１及びカード用トレイ１６１は、付勢部材８２の反発力を受けるが、該反発力がユーザの手指等が発揮する押圧力よりも小さいので、前記反発力に抗して移動する。この場合、スライド部材２１はトレイ案内機構収容部１１ｇに沿ってスライドし、カード用トレイ１６１はスライド部材２１とともに進行する。そして、スライド部材２１及びカード用トレイ１６１は、最も前進した位置であるオーバーストローク位置に到達してオーバーストローク状態となる。
【００８９】
また、カード用トレイ１６１の側板部１６４及び前板部１６５の高さ寸法は、カード１０１の厚さ寸法よりも小さい。これにより、カード用トレイ１６１がカード挿入空間内を進行する際に、側板部１６４及び前板部１６５の下端がカード１０１の下面１１１ａよりも上方、すなわち、シェル６１の天板部６２寄りに位置することとなるので、ハウジング１１の底壁部１１ｂに、側板部１６４及び前板部１６５の下端が当接することがない。したがって、前記底壁部１１ｂに配設された端子５１等の部材に損傷を与えることがない。
【００９０】
続いて、ユーザがカード用トレイ１６１をプッシュする動作を止め、該カード用トレイ１６１に対する押圧力を解除すると、付勢部材８２の反発力によって、スライド部材２１及びカード用トレイ１６１はカード用コネクタ１の前端１Ｆから離脱する向きに、すなわち、後方に向けて移動させられる。そして、スライド部材２１及びカード用トレイ１６１は、図１０（ｂ）及び１２に示されるように、カード用コネクタ１内でカード用トレイ１６１をロックした状態で保持するロック位置で停止する。これは、スライド部材２１の上面に形成されたカム溝２２と係合しているピン部材８１の自由端が、カム溝２２の一部に掛止されてスライド部材２１の動きを停止させることによって、該スライド部材２１を前記ロック位置で停止させているからである。
【００９１】
そして、カード用トレイ１６１内に収容されたカード１０１は、カード用トレイ１６１とともに、ロック位置に保持されることによって、カード用コネクタ１が実装された電子機器の演算手段等との間でデータの送受信を行うことができる状態となる。なお、カード１０１がロック位置に保持されている場合、カード用コネクタ１の端子５１は、その接触部５１ｃが、カード１０１のコンタクトパッド１５１の各々に接触して導通している。また、カード検出スイッチの第１接点部材５７の当接部５７ｃは、カード１０１の前端１１１ｆによって前方に押出されて変位し、本体部５７ｂが第２接点部材５８の接触部５８ｂから離間している。これにより、第１接点部材５７と第２接点部材５８とが非接触となり、カード検出スイッチはオフとなり、カード１０１がカード用コネクタ１内における所定の位置、すなわち、コンタクトパッド１５１と端子５１とが接触する位置にあることが検出される。
【００９２】
なお、カード用トレイ１６１に収容されたカード１０１は、弾性腕部１６６のばね力によって付勢されているので、その前端１１１ｆが前板部１６５に押圧されている。したがって、カード用トレイ１６１の前板部１６５の位置を基準位置として、カード１０１の前端１１１ｆの位置決めが正確に行われる。そして、このように正確に位置決めされたカード１０１の前端１１１ｆに第１接点部材５７の当接部５７ｃが直接当接することによってカード検出スイッチの検出動作が行われるのであるから、カード検出スイッチの検出動作は正確なものとなり、コンタクトパッド１５１と端子５１とが接触する位置にカード１０１があることが、正確に検出される。
【００９３】
ところで、電子機器にカード用コネクタ１以外のカード用コネクタが実装されているような場合には、ユーザがカード用コネクタ１を使用しないこともあり得る。そして、このようなときに、ユーザは、カード１０１を収容していないカード用トレイ１６１、すなわち、空のカード用トレイ１６１をカード用コネクタ１に挿入した状態で保管することが考えられる。このように、カード１０１を収容していないカード用トレイ１６１が挿入された場合には、カード用トレイ１６１の前板部１６５における第１接点部材５７の当接部５７ｃに対応する部分には切欠き部１６５ａが形成され、前板部１６５が存在しないのであるから、前記当接部５７ｃは、カード用トレイ１６１のどの部分にも当接しない。したがって、カード検出スイッチは、カード１０１が所定の位置に到達した、と検出することがない。つまり、カード１０１を収容していないカード用トレイ１６１が挿入された場合には、カード１０１が挿入された、と誤検出されてしまうことがない。
【００９４】
また、前記切欠き部１６５ａは、望ましくは、端子５１が配設されている範囲に対応する部分には、前板部１６５が残存しないように形成されているので、カード１０１を収容していないカード用トレイ１６１がカード用コネクタ１に挿入されても、前板部１６５が端子５１に当接して該端子５１に損傷を与えることがない。
【００９５】
次に、カード用トレイ１６１をカード用コネクタ１から排出させる動作について説明する。
【００９６】
まず、ユーザが手指等によってカード用トレイ１６１をプッシュして押込むと、スライド部材２１及びカード用トレイ１６１は、ロック位置から前端１Ｆに向けて移動させられる。そして、ユーザがカード用トレイ１６１をプッシュして更に押込むと、スライド部材２１及びカード用トレイ１６１は、最も前進した位置であるオーバーストローク位置に到達してオーバーストローク状態となる。
【００９７】
続いて、ユーザがカード用トレイ１６１をプッシュする動作を止め、前記カード１０１に対する押込力を解除すると、付勢部材８２の付勢力によって、オーバーストローク位置に位置しているスライド部材２１及びカード用トレイ１６１は、前端１Ｆから離脱する向きに移動させられ、挿入方向と反対の方向に移動させられる。そして、スライド部材２１及びカード用トレイ１６１は、ロック位置を通過して後方に向けて更に移動し、カード用トレイ１６１が挿入口１８から排出される。
【００９８】
次に、誤挿入の動作について説明する。まず、第１の誤挿入として、図１３に示されるように、カード用トレイ１６１の表裏逆様の非正規姿勢での誤挿入について説明する。
【００９９】
この場合、カード用トレイ１６１は、天板部１６２が下を向き、すなわち、ハウジング１１の底壁部１１ｂと向合い、収容されているカード１０１の下面１１１ａがシェル６１の天板部６２と向合い、前端１６１Ｆがカード用コネクタ１の前端１Ｆの方を向くような姿勢で、カード用コネクタ１の後方の挿入口１８からハウジング１１とシェル６１との間に形成されるカード挿入空間内に挿入される。
【０１００】
すると、係合部１７２の形成されている方の側板部１６４が、ハウジング１１における進入許可スリット１８ａの形成した側に位置し、突出片１７３の形成されている方の側板部１６４が、ハウジング１１におけるトレイ案内機構収容部１１ｇが形成されている側に位置するので、突出片１７３が、進入許可スリット１８ａ内に進入することができず、ハウジング１１の後端部１１ｒに当接してしまう。
【０１０１】
したがって、カード用トレイ１６１の表裏逆様の非正規姿勢での誤挿入が確実に防止される。
【０１０２】
また、カード用トレイ１６１が前後逆様の非正規姿勢で挿入される場合、後端１６１Ｒがカード用コネクタ１の前端１Ｆの方を向くような姿勢で、カード用コネクタ１の後方の挿入口１８からハウジング１１とシェル６１との間に形成されるカード挿入空間内に挿入される。
【０１０３】
しかし、後板部１６３の少なくとも左右両側の板端部１６３ａは、その高さ寸法が挿入口１８の厚さ寸法よりも大きく設定されているので、シェル後端部６２ｒ及びハウジング１１の後端部１１ｒに当接してしまう。そのため、カード用トレイ１６１の後端１６１Ｒは、挿入口１８からカード挿入空間内に進入することができない。
【０１０４】
したがって、カード用トレイ１６１の前後逆様の非正規姿勢での誤挿入が確実に防止される。
【０１０５】
このように、本実施の形態において、カード用トレイ１６１は、一面にコンタクトパッド１５１を備えるカード１０１のコンタクトパッド１５１と反対側の面と対向する天板部１６２と、天板部１６２の前縁から立設し、カード１０１の前端１１１ｆと対向する前板部１６５と、天板部１６２の後縁から立設し、カード１０１の後端１１１ｒと対向する後板部１６３とを有し、コンタクトパッド１５１が露出するようにカード１０１を収容する。そして、カード用トレイ１６１は、カード１０１の前端１１１ｆの少なくとも一部が露出するように前板部１６５に形成された切欠き部１６５ａと、後板部１６３に近接して配設され、カード１０１を前方に付勢し、前板部１６５における切欠き部１６５ａ以外の部分にカード１０１の前端１１１ｆを押圧させる弾性腕部１６６とを有し、カード１０１を前後から把持し、カード１０１のコンタクトパッド１５１側の面全体を露出させる。
【０１０６】
これにより、カード用トレイ１６１は、カード用コネクタ１内部の部材に損傷を与えることがなく、かつ、カード１０１を確実に保持することができる。また、カード用トレイ１６１を小型低背化することができ、その結果、カード用コネクタ１も小型低背化することができる。
【０１０７】
また、前板部１６５における切欠き部１６５ａ以外の部分は、天板部１６２の幅方向両端に存在する。これにより、カード１０１の前端１１１ｆは、その幅方向両端で天板部１６２に押圧されるので、カード１０１の姿勢が安定する。したがって、カード１０１がカード用トレイ１６１から脱落することが確実に防止される。
【０１０８】
さらに、弾性腕部１６６は、カンチレバー状の本体部１６６ｂと、本体部１６６ｂの自由端に接続され、カード１０１の後端１１１ｒに当接する当接部１６６ｃと、当接部１６６ｃに接続され、円弧曲面を備える誘込み部１６６ｄとを含む。これにより、カード１０１を安定的に付勢することができる。また、誘込み部１６６ｄをカード１０１の後端１１１ｒがスムーズにスライドすることができるので、前端１１１ｆからカード１０１をカード用トレイ１６１内に挿入することもでき、カード用トレイ１６１にカード１０１をセットする際の利便性が向上する。
【０１０９】
さらに、当接部１６６ｃ、及び、前板部１６５における切欠き部１６５ａ以外の部分には、凹溝１６５ｅ及び１６６ｅが形成されている。これにより、カード１０１がカード用トレイ１６１から脱落することがより確実に防止される。
【０１１０】
さらに、天板部１６２の側縁から立設し、カード１０１の側縁１１２と対向する側板部１６４を更に有し、前板部１６５及び側板部１６４の高さ寸法は、カード１０１の厚さ寸法よりも小さい。したがって、カード用コネクタ１のハウジング１１の底壁部１１ｂに、側板部１６４及び前板部１６５が当接することがない。
【０１１１】
また、カード用トレイ１６１が挿入されるカード用コネクタ１は、カード用トレイ１６１を収容するハウジング１１と、ハウジング１１に取付けられ、カード１０１のコンタクトパッド１５１と接触する端子５１と、ハウジング１１に取付けられ、少なくともハウジング１１及びハウジング１１に挿入されたカード用トレイ１６１の一部を覆うシェル６１とを有する。これにより、カード１０１を収容するカード用トレイ１６１を容易に挿入することができ、カード１０１のコンタクトパッド１５１と端子５１とを確実に接触させることができ、信頼性を高くすることができる。
【０１１２】
さらに、カード用トレイ１６１が挿入されるカード用コネクタ１は、当接部５７ｃがハウジング１１の前端部１１ｆから後端部１１ｒに向けて突出するカンチレバー状の第１の接点部材５７を含むカード検出スイッチを有し、ハウジング１１に挿入されたカード用トレイ１６１の切欠き部１６５ａから露出するカード１０１の前端１１１ｆが当接部５７ｃに当接して当接部５７ｃを前端部１１ｆに向けて変位させると、カード検出スイッチは、カード１０１がそのコンタクトパッド１５１が端子５１と接触する位置に到達したことを検出する。これにより、カード１０１がカード用トレイ１６１に収容された状態で挿入されても、当接部５７ｃには、カード１０１の前端１１１ｆが直接当接し、カード用トレイ１６１の前板部１６５は当接することがないので、カード１０１がそのコンタクトパッド１５１と端子５１とが接触する位置に到達したことを正確に検出することができる。
【０１１３】
さらに、カード用トレイ１６１が挿入されるカード用コネクタ１は、ハウジング１１の後端部１１ｒとシェル６１のシェル後端部６２ｒとの間に形成されたカード用トレイ１６１が挿入される挿入口１８を更に有し、挿入口１８は、一端に形成された進入許可スリット１８ａを備え、カード用トレイ１６１は、天板部１６２の一方の側縁から突出する突出片１７３を有し、突出片１７３は、カード用トレイ１６１が正規の姿勢で挿入口１８に挿入されたときのみ、進入許可スリット１８ａに進入可能である。したがって、カード用トレイ１６１が非正規の姿勢で挿入口１８から挿入されてしまうことがない。
【０１１４】
さらに、カード用トレイ１６１は、後板部１６３の両端に形成された板端部１６３ａを有し、板端部１６３ａの高さ寸法は、挿入口１８の厚さ寸法よりも大きい。したがって、カード用トレイ１６１が前後逆様の姿勢で挿入口１８から挿入されてしまうことがない。
【０１１５】
なお、本発明は前記実施の形態に限定されるものではなく、本発明の趣旨に基づいて種々変形させることが可能であり、それらを本発明の範囲から排除するものではない。
【産業上の利用可能性】
【０１１６】
本発明は、カード用トレイ及びカード用コネクタに適用することができる。
【符号の説明】
【０１１７】
１    カード用コネクタ
１Ｆ、１１１ｆ、１６１Ｆ    前端
１Ｒ、１１１ｒ、１６１Ｒ    後端
１１、８１１    ハウジング
１１ａ    奥壁部
１１ｂ    底壁部
１１ｃ    端子保持凹部
１１ｄ    側壁部
１１ｆ    前端部
１１ｇ    トレイ案内機構収容部
１１ｒ    後端部
１３    掛止突起
１８    挿入口
１８ａ    進入許可スリット
２１    スライド部材
２１ａ    係合凹部
２１ｂ    係合鉤部
２２    カム溝
５１    端子
５１ａ    基部
５１ｂ    接触腕部
５１ｃ、５８ｂ    接触部
５１ｄ    ソルダーテール部
５７    第１接点部材
５７ａ、５８ａ、１６６ａ    取付部
５７ｂ、１６６ｂ    本体部
５７ｃ、１６５ｃ、１６６ｃ    当接部
５８    第２接点部材
６１    シェル
６２、１６２    天板部
６２ｆ    シェル前端部
６２ｒ    シェル後端部
６３    掛止開口
６４、１６４、８１１ｃ、９６４    側板部
６５    ピン押え部材
８１    ピン部材
８２    付勢部材
１０１    カード
１１１ａ    下面
１１１ｃ、１６５ａ    切欠き部
１１２    側縁
１５１    コンタクトパッド
１６１、９６１    カード用トレイ
１６３    後板部
１６３ａ    板端部
１６５    前板部
１６５ｅ、１６６ｅ    凹溝
１６６    弾性腕部
１６６ｄ    誘込み部
１６７    位置決め爪部
１７２    係合部
１７２ａ    係合凸部
１７２ｂ    分離開口
１７２ｃ    分離スリット
１７３    突出片
８１１ａ、９６５    前壁部
８１１ｂ、９６９    底板部
８１１ｄ、９７０    開口部
９６３    後壁部
【図１】
0005893915.tif 000002
【図２】
0005893915.tif 000003
【図３】
0005893915.tif 000004
【図４】
0005893915.tif 000005
【図５】
0005893915.tif 000006
【図６】
0005893915.tif 000007
【図７】
0005893915.tif 000008
【図８】
0005893915.tif 000009
【図９】
0005893915.tif 000010
【図１０】
0005893915.tif 000011
【図１１】
0005893915.tif 000012
【図１２】
0005893915.tif 000013
【図１３】
0005893915.tif 000014
【図１４】
0005893915.tif 000015